(57)【要約】      （修正有）【課題】飛行機、車など軽量が望まれボルトも軽くしたい。ボルトとナットの２つだけで振動に対して緩みを止めることは難しい。本案は円筒のボルトは曲げにくいが板状のものは面の前後に曲がることを利用し、緩みを防ぐものである。【解決手段】ボルトにナットを差し込む。ナットで材料８を締め付ける。締めつけ後、ナットからはみ出たねじ先５をペンチで折り曲げると曲がったねじ部にナットが引っ掛かり緩まない。頭部３も曲げると空気抵抗が少なくなり、凸凹も目立た無くなる。【選択図】図６
2019027582.tif 000002
【特許請求の範囲】
【請求項１】
板状の金属１にボルトと同じように頭部３、ねじ部にねじ山４、ねじ先５を設けナット２で材料８を締め付け後、ナット２からはみ出たねじ先５を中心線１０に直角で面１１の向きに曲げ１２、緩み止めする板状ロックボルト。
【請求項２】
請求項目１のボルト１にナット２で材料８を締め付けた後、頭部３を中心線１０に直角で面１１の向きに曲げ１２使用する板状ロックボルト。
板状ボルト
【請求項３】
請求項目１のボルト１を２枚重ねてナット２を差し込み締め付けた後、頭部３やねじ先５を中心線１０に直角に、互いに反対に曲げ１１使用する板状ロックボルト。
【請求項４】
請求項目１のボルト１の頭部を無くし、ねじ部のみの形状する板状ロックボルト。
【請求項５】
請求項目１のボルト１の中心線に沿って、多数の小さな穴９を設ける板状ロックボルト。
【請求項６】
請求項目１のボルト１にナット２を差し込み締めつけボルトと同じように使用する板状ロックボルト
【発明の詳細な説明】
【技術分野】
【０００１】  この発明は緩まないボルトに関するものである。
【背景技術】
【０００２】  従来のボルトは振動や大きな力で少しずつ緩む。ボルトとナットの２つだけでねじの緩みを止めることは難しい。ボルトの緩みについては緩みが少ない二重ナットなどがある。【０００３】  次に、飛行機、車、船などの機械で多くのボルトが使われボルトの軽量化が望まれるが、ボルトのねじ部は円筒形で質量が大きい。【０００４】  ボルトは何回も緩めたり、締め付けたりできるが、ボルトは機械の寿命まで緩めることがほとんど無い。【０００５】  さらに、ボルト頭部は大きく看板などに使用すると凹凸があり目立ち、空気の抵抗も大きい。【０００６】  また、ボルトはねじ部に横穴を開けると用途が増えるが、ねじ部が円筒形で横穴を開けるのが大変であり、しかもナットで締めると横穴部分はナットに塞がれねじ先しか使用できなくなる。本案は以上の欠点を無くするためになされたものである。
【先行技術の文献】
【発明が解決しようとする課題】
【０００７】  本案は、曲がったボルトは締め付けることが出来ない。逆に考えると、曲がったボルトは緩まない。普通のボルトのねじ部は曲げにくいが、板状のものにすると面の前後に曲げたり、ねじったり出来る。材料をナットで締めた後にねじ先を曲げたり、ねじることで緩みを止めるようにしたものである。
【０００８】  ねじ先を曲げると緩まなくなり再度の使用ができないが、機械のほとんどのボルトは寿命まで緩めない。緩まないことが主眼である。
ボルトのねじ部の形状を円筒で無く板状にすることで、板状の金属は円筒状のものより曲げやすいことを利用したものである。
【０００９】  次に、軽量化である。ボルトの引く力は優秀である。普通のボルトのねじ部の径で１０ｍｍあれば１トン以上の質量を支えてしまう。車、冷蔵庫、電子レンジ、エアコンなどの多くのものにボルトが使用されているが、機械の寿命まで、部品が壊れてもそのボルトが破壊されることはほとんど無い。これは機械に１０倍、１００倍の力に耐える必要の無い強いねじが使用されているためである。適正の強さのねじにすると、ボルト全体が小さくなったり、ねじ部が極端に長くなり使えない。
ここに、板状にする効果がある。バランスのよい強さがあり、しかも大きさの割に軽いものが必要になる。
違いは普通のボルトのねじ部が円筒状であり、本案のボルトは板状で軽く曲げやねじれには弱いが、引く力は同じ断面積の普通のボルトと大きな差は無く使えるのである。
【００１０】  ボルトの頭部の出っ張りは目立つ、板状にして中心線に直角に曲げると頭部の出っ張りを小さくでき風の抵抗も防ぐことができる。また頭部が１ｍｍ以下ぐらいなら頭部を覆うシールを貼り付ければ目立たなくなる。
【００１１】  板状のものを２枚重ね使用すると引っ張る力は２倍になる。しかし面に直角に曲げる力は一枚分のままで曲げやすい。曲げを容易にするためボルト頭部やねじ先の長さを、わずかに違えることでさらに曲げやすくなる。２枚重ねたもののボルト首の部分は接着した方が２枚が、ばらばらにならずに扱いやすい。
【００１２】  ボルトのねじ部に横穴があると紐、コードなどが通すことでき用途が広い。しかし、ボルトにナットを締めると横穴があっても、ボルトとナットとの間には隙間が無くねじ先しか穴は使用できない。
ところが、板状であれば横穴は開けやすく、しかもナットを締め付けた後でもボルトとナットの間に隙間があり穴の用途が広くなる。
【００１３】  ねじには頭部の無い、ながねじがあるが、本案でも同じ、ながねじのように使用できる。
【課題を解決するための手段】
【００１４】請求項目１  本案のボルト１に材料８を挟みナット２で締め付けた後、ナット２からはみ出た、ねじ先５を中心線１０に直角で面１１の方向にペンチなどで曲げる１２ことで、ねじ部がナットに絡み、ナットの緩みを防げる。ただし、無理にペンチで元に戻せば緩めることができるが再利用は不向きである。
【００１５】  請求項目２  本案のボルト１にナット２で締め付けた後、頭部３の首の部分を中心線１０に直角で面１１の方向に曲げ１２、頭部の出っ張りを少なくする。これにより薄い鉄板を支えるのに普通のボルトは頭部３が目立つが、これで目立たなくなる。
請求項目３  本案のボルト１を２枚重ねてナット２で締め付けた後、頭部３やねじ先５を面方向に曲げる。２枚重ねのため、ボルトの引っ張る力は２倍だが、ボルトを曲げる力は一枚分で曲げやすいものができる。
請求項目４  本案のボルト１の頭部を無くし、ねじ先５と同じ形状することで、ながねじと同じ使い方ができる。
【００１６】請求項目５  本案のボルト１の中心線１０に沿って穴９を設けると板状のため材料、ナットの隙間できる。そこに紐や電気コード、棒状フックを通すことができ用途が広くなる。
【００１７】請求項目６  本案のボルト１に材料８を挟みナット２で締め付けると普通のボルトと同じように使用できる。
【発明の効果】
【００１８】  （ア）本案は板状なので重ねて、束で取り扱える。
（イ）本案は板状なのでプレス機で製造可能であると思われる。
（ウ）本案はドライバーでは緩まないのでいたずら防止にも役立つ。
（エ）本案は皿ねじが使えない薄い材料でも表面の凹凸が目立たなく使用できる。
【発明を実施するための形態】
【実施例１】
【００１９】図１、２は本案のボルト１とナット２を示す。図３はナット２で材料８を締め付け、ナット２からはみだしたねじ先５をペンチなどで中心線１０にに直角で面１１の方向に曲げて使用する。
【実施例２】
【００２０】図３の本案のボルト１で材料８をはさみ、ナット２で締め付けた後、頭部３を中心線１０に直角で面１１の方向に曲げ、頭部の厚みを少なくして使用する
【実施例３】
【００２１】図４は本案の板状のボルト１を二枚重ねしナット２で材料８で締め付ける。締め付けた後、ねじ先５と頭部３を互いに反対方向に曲げて使用する。
【実施例４】
【００２２】図５は本案のボルト１の頭部３が無くねじ先５が両端が同じで、ながねじと同じように、ナット２を差し込み使用する。
【実施例５】
【００２３】図５の本案のボルト１はナット２との間に隙間ができるために穴９に電気コード、紐、針金など通し使用する。
【実施例６】
【００２４】本案のボルト１に材料８を挟み、ナット２で締め付ける、普通のボルトとナットのように使用する。
【図面の簡単な説明】
【００２５】
【図１】本案のボルトとナットの正面図
【図２】本案のボルトとナットの両方の側面図
【図３】本案のボルトで材料を締めつけ、頭部やねじ先を曲げた平面図
【図４】本体のボルトを２枚重ね頭部やねじ先を曲げた平面図
【図５】ながねじのように両方を先端部分のようにした正面図
【図６】穴をあけフックを通す様子
【符号の説明】
【００２６】１、本体
２、ナット
３、頭部
４、ねじ山
５、ねじ先
６、ナットの斜め噛込み防止部分
７、首
８、材料
９、穴
１０、中心線
１１、面
１２、曲げる方向
１３、接着部分
１４、フック
１５、フックを差し込む方向
【図１】
2019027582.tif 000003
【図２】
2019027582.tif 000004
【図３】
2019027582.tif 000005
【図４】
2019027582.tif 000006
【図５】
2019027582.tif 000007
【図６】
2019027582.tif 000008